(57)【特許請求の範囲】
【請求項１】
押離鍵操作されてそれぞれ揺動する複数の鍵と、
前記複数の鍵の揺動にそれぞれ連動して揺動し、低音部から高音部に向かって配列された互いに異なる複数の質量体と、
前記複数の鍵及び前記複数の質量体を支持する支持部材とを有する電子楽器の鍵盤装置において、
前記複数の質量体の上面であって、前記複数の質量体を前記支持部材に組み付けた状態で視認可能であり、かつ前記複数の鍵を前記支持部材に組み付けた状態で視認不可能である、前記複数の鍵の下方に位置する領域に、前記質量体の配列順を表す標識であって、前記質量体の配列方向に連続性を有する標識を設けたことを特徴とする電子楽器の鍵盤装置。
【請求項２】
請求項１に記載の電子楽器の鍵盤装置において、
前記複数の質量体は、前記複数の鍵の揺動にそれぞれ連動して揺動する複数のハンマーであることを特徴とする電子楽器の鍵盤装置。
【請求項３】
請求項１又は２に記載の電子楽器の鍵盤装置において、
前記標識として、低音部の前記質量体から高音部の前記質量体に向かうに従って前記質量体ごとに色彩が徐々に変化する印を設けたことを特徴とする電子楽器の鍵盤装置。
【請求項４】
請求項１又は２に記載の電子楽器の鍵盤装置において、
前記標識として、低音部の前記質量体から高音部の前記質量体に向かうに従って前記質量体ごとに寸法が徐々に変化する印を設けたことを特徴とする電子楽器の鍵盤装置。
【請求項５】
請求項１又は２に記載の電子楽器の鍵盤装置において、
前記標識として、低音部の前記質量体から高音部の前記質量体に向かうに従って前記質量体ごとに向きが徐々に変化する印を設けたことを特徴とする電子楽器の鍵盤装置。
【請求項６】
請求項１又は２に記載の電子楽器の鍵盤装置において、
前記標識として、低音部の前記質量体から高音部の前記質量体に向かうに従って前記質量体ごとに前記領域内における配置位置が徐々に変化する印を設けたことを特徴とする電子楽器の鍵盤装置。
【請求項７】
請求項１又は２に記載の電子楽器の鍵盤装置において、
前記標識として、低音部の前記質量体から高音部の前記質量体に向かうに従って前記領域内における配置位置が周期的に変化する印を設けたことを特徴とする電子楽器の鍵盤装置。
【請求項８】
請求項１又は２に記載の電子楽器の鍵盤装置において、
前記標識として、前記質量体の配列方向に連続した模様を構成する印を設けたことを特徴とする電子楽器の鍵盤装置。
【発明の詳細な説明】
【技術分野】
【０００１】
本発明は、電子オルガン、電子ピアノなどの電子楽器の鍵盤装置に関する。
【背景技術】
【０００２】
従来から、例えば、下記特許文献１に示されているように、鍵に係合する係合部を有していて、鍵の揺動に連動して揺動するハンマーを備えた電子楽器の鍵盤装置は知られている。この鍵盤装置においては、低音部から高音部に向かうに従って、ハンマーの質量を徐々に小さくしている。
【先行技術文献】
【特許文献】
【０００３】
【特許文献１】特開２０１１−１７９０７号公報
【発明の概要】
【０００４】
上記のように、ハンマーの質量は、係合する鍵に割り当てられた音高ごとに異なる。しかし、近接するハンマー同士の質量の差は僅かであり、それらの形状の差も僅かである。したがって、それぞれのハンマーのフレームに組み付けた後、ハンマーの配列順の検査が困難であり、検査効率が低下していた。
【０００５】
本発明は上記問題を解決するためになされたものであり、その目的は、互いに異なる複数の質量体を有する電子楽器の鍵盤装置の検査効率を向上することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００６】
前記目的を達成するため、本発明の特徴は、押離鍵操作されてそれぞれ揺動する複数の鍵（１１ｗ，１１ｂ）と、前記複数の鍵の揺動にそれぞれ連動して揺動し、低音部から高音部に向かって配列された互いに異なる複数の質量体（１６ｗ，１６ｂ）と、複数の鍵及び複数の質量体を支持する支持部材（１２）とを有する電子楽器の鍵盤装置において、複数の質量体の上面であって、複数の質量体を支持部材に組み付けた状態で視認可能であり、かつ複数の鍵を支持部材に組み付けた状態で視認不可能である、複数の鍵の下方に位置する領域に、質量体の配列順を表す標識であって、質量体の配列方向に連続性を有する標識を設けたことにある。
【０００７】
この場合、複数の質量体は、それぞれ複数の鍵の揺動に連動して揺動する複数のハンマーとするとよい。
【０００８】
また、この場合、標識として、低音部の質量体から高音部の質量体に向かうに従って質量体ごとに色彩が徐々に変化する印を設けるとよい。また、標識として、低音部の質量体から高音部の質量体に向かうに従って質量体ごとに寸法が徐々に変化する印を設けてもよい。また、標識として、低音部の質量体から高音部の質量体に向かうに従って質量体ごとに向きが徐々に変化する印を設けてもよい。また、標識として、低音部の質量体から高音部の質量体に向かうに従って質量体ごとに前記領域内における配置位置が徐々に変化する印を設けてもよい。また、標識として、低音部の質量体から高音部の質量体に向かうに従って前記領域内における配置位置が周期的に変化する印を設けてもよい。また、標識として、質量体の配列方向に連続した模様を構成する印を設けてもよい。
【０００９】
上記のように構成した電子楽器の鍵盤装置によれば、質量体の配列方向に連続性を有する標識を設けたので、全ての質量体を支持部材に組み付けた後、標識が連続していない箇所があれば、その箇所に組み付けられている質量体が本来組み付けられるべき質量体ではないことを一見して把握できる。したがって、質量体の配列順の検査効率を向上させることができる。さらに、前記検査の後、支持部材（すなわち、鍵盤装置）を電子楽器に組み付けた後には、前記標識は外部から視認不可能なので、電子楽器の美観に影響を与えない。
【図面の簡単な説明】
【００１０】
【図１】本発明の第１実施形態に係る鍵盤装置の白鍵に関する構成を示す右側面図である。
【図２】本発明の第１実施形態に係る鍵盤装置の黒鍵に関する構成を示す右側面図である。
【図３】音高と質量体の質量との関係を示す特性曲線図である。
【図４】図１及び図２の白鍵用ハンマー及び黒鍵用ハンマーの平面図である。
【図５】図１及び図２の白鍵用ハンマー及び黒鍵用ハンマーの各部の位置関係を示す側面図である。
【図６】音高とハンマーの揺動中心回りの慣性モーメントとの関係を示す特性曲線図である。
【図７】音高と鍵タッチとの関係を示す特性曲線図である。
【図８】本発明の第２実施形態に係る鍵盤装置の白鍵に関する構成を示す右側面図である。
【図９】本発明の第２実施形態に係る鍵盤装置の黒鍵に関する構成を示す右側面図である。
【図１０】音高と鍵の質量との関係を示す特性曲線図である。
【図１１】本発明の第２実施形態に係る鍵盤装置の平面図である。
【図１２】鍵の配列順に、印の色彩を徐々に異ならせた例を示す平面図である。
【図１３】鍵の配列順に、印の指し示す方向を徐々に異ならせた例を示す平面図である。
【図１４】鍵の配列順に、印の位置を徐々に前方に移動させた例を示す平面図である。
【図１５】印の前後方向の位置を、周期的に変化させた例を示す平面図である。
【図１６】鍵の配列方向に連続する模様を設けた例を示す平面図である。
【発明を実施するための形態】
【００１１】
以下、本発明の一実施形態について図面を用いて説明する。以下の説明では、演奏者に近い側を「前側」とし、演奏者から遠い側を「後側」とする。また、高音部側を「右側」とし、低音部側を「左側」とする。
【００１２】
この鍵盤装置は、図１及び図２に示すように、複数の白鍵１１ｗ及び複数の黒鍵１１ｂを有している。白鍵１１ｗ及び黒鍵１１ｂは、それぞれ合成樹脂によって長尺状に一体成型されている。白鍵１１ｗは、黒鍵１１ｂに比べて前後方向に長い。また、白鍵１１ｗは、黒鍵１１ｂに比べて、上下方向の幅が小さく、左右方向の幅が大きい。白鍵１１ｗ及び黒鍵１１ｂは、前後方向に延設された薄肉の上壁及び上壁の左右端からそれぞれ下方へ延設された薄肉の側壁を有し、下方に開放した中空状に形成されている。また、白鍵１１ｗ及び黒鍵１１ｂの側壁の後部には、それぞれ対向する貫通孔Ｋｗ及び貫通孔Ｋｂが設けられている。そして、白鍵１１ｗ及び黒鍵１１ｂは、鍵フレーム１２の鍵支持部１３により支持されている。
【００１３】
鍵フレーム１２は、樹脂の一体成型により左右方向に延設されている。鍵フレーム１２は、前後方向及び左右方向に延設された前板１２ａ及び後板１２ｂを有する。後板１２ｂは、前板１２ａよりも前後方向の幅が狭い。上記の鍵支持部１３は、後板１２ｂの上面から上方へ突出するように形成されている。鍵支持部１３は、それぞれ対向する２枚の板状に形成されていて、内側に対向する突出部１３ａを備えている。前記突出部１３ａは、貫通孔Ｋｗ及び貫通孔Ｋｂに嵌合している。これにより、白鍵１１ｗ及び黒鍵１１ｂは、突出部１３ａ回りに回転可能に支持され、前端部が上下方向に揺動可能となっている。前板１２ａ及び後板１２ｂには、下方に延設された複数のリブ１２ｄの上端部が一体的に接続されている。リブ１２ｄは、左右方向に薄肉で前後方向に延設されており、左右方向に所定の間隔をおいて設けられている。また、リブ１２ｄは、前板１２ａの前端よりも前方へ張り出している。この張り出した部分に、後述のレール部１７、レール部１９及びレール部２１が設けられる。また、後板１２ｂの後端から下方へ垂直壁１２ｅが延設されており、垂直壁１２ｅの下端から後方へ水平板１２ｆが延設されている。
【００１４】
また、白鍵１１ｗの中間部から下方へ向かって駆動部１１ｗ１が延設されている。駆動部１１ｗ１は、上下に延設された薄肉の前壁及び前壁の左右端からそれぞれ後方へ延設された薄肉の側壁を有し、後方に開放した中空状に形成されている。駆動部１１ｗ１の下端は下端壁により閉じている。一方、黒鍵１１ｂも白鍵１１ｗと同様の駆動部１１ｂ１を有する。黒鍵１１ｂは、離鍵状態において白鍵１１ｗの上面よりも上方に突出した部分（以下、黒鍵１１ｂの見え掛り部という。）の前端から下方へ延設された後、僅かに前方へ湾曲させられた連結部を有し、この連結部の先端に、駆動部１１ｂ１の上端が接続されている。駆動部１１ｗ１と駆動部１１ｂ１の前後方向の位置は同一であり、駆動部１１ｗ１と駆動部１１ｂ１の下端壁の上下方向の位置も同一である。すなわち、駆動部１１ｗ１及び駆動部１１ｂ１は、黒鍵１１ｂの見え掛り部の前端よりも前方に位置する。なお、この駆動部１１ｗ１及び駆動部１１ｂ１の前後方向の位置の詳細については、後述する。前板１２ａの前方に設けられた上下に開口した開口部内にて、駆動部１１ｗ１及び駆動部１１ｂ１の下端部が、ハンマー１６ｗ及びハンマー１６ｂの前端部にそれぞれ係合している。
【００１５】
ハンマー１６ｗは、合成樹脂製の基部１６ｗ１と、金属製の連結棒１６ｗ２及び質量体１６ｗ３とからなる。ハンマー１６ｂは、ハンマー１６ｗと同様に、基部１６ｂ１、連結棒１６ｗ２及び質量体１６ｂ３からなる。基部１６ｗ１及び基部１６ｂ１は、板状の部材であって、右側面から左側面に貫通する貫通孔Ｈｗ及び貫通孔Ｈｂを有する。リブ１２ｄの中間下端部には、隣り合うリブ１２ｄの下端部を繋ぐレール部１７が延設されている。レール部１７は、前板１２ａ及び後板１２ｂに比べて前後方向の幅が狭い。レール部１７の上面には、上方に突出するようにして、ハンマー支持部１８ｗ及びハンマー支持部１８ｂが形成されている。ハンマー支持部１８ｗ及びハンマー支持部１８ｂは、それぞれ対向する２枚の板状に形成されていて、それぞれ内側に対向する突出部１８ｗ１及び突出部１８ｂ１を備えている。前記突出部１８ｗ１及び突出部１８ｂ１は、貫通孔Ｈｗ及び貫通孔Ｈｂにそれぞれ嵌合している。これにより、基部１６ｗ１及び基部１６ｂ１は、突出部１８ｗ１及び突出部１８ｂ１回りに回転可能に支持されている。すなわち、ハンマー１６ｗ及びハンマー１６ｂは、前端部及び後端部が上下方向に揺動可能に支持されている。ハンマー支持部１８ｗは、レール部１７の前部に設けられ、ハンマー支持部１８ｂは、レール部１７の後部に設けられている。すなわち、ハンマー１６ｂの揺動中心は、ハンマー１６ｗの揺動中心の後方に位置する。ハンマー１６ｗの揺動中心の前後方向の位置は、全てのハンマー１６ｗについて共通であり、ハンマー１６ｂの揺動中心の前後方向の位置は、全てのハンマー１６ｂについて共通である。このハンマー１６ｗ及びハンマー１６ｂの揺動中心の前後方向の位置の詳細については後述する。
【００１６】
また、基部１６ｗ１は、前端部に上下一対の脚部Ｆｗ１及び脚部Ｆｗ２を備え、上側に位置する脚部Ｆｗ１は下側に位置する脚部Ｆｗ２より短く形成されている。基部１６ｂ１も、基部１６ｗ１と同様に、前端部に上下一対の脚部Ｆｂ１及び脚部Ｆｂ２を備えている。脚部Ｆｗ１と脚部Ｆｗ２の間には、駆動部１１ｗ１の下端壁が侵入しており、脚部Ｆｂ１と脚部Ｆｂ２の間には、駆動部１１ｂ１の下端壁が侵入している。脚部Ｆｗ１及び脚部Ｆｂ１は、それぞれ、駆動部１１ｗ１及び駆動部１１ｂ１の下端壁と、駆動部１１ｗ１及び駆動部１１ｂ１内であって、それぞれの下端壁との間に隙間を形成する中間壁との間に侵入している。駆動部１１ｗ１及び駆動部１１ｂ１の下端壁には、ゴム、ウレタン、フエルトなどの衝撃吸収材が嵌め込まれて固着されている。この衝撃吸収材は、駆動部１１ｗ１と脚部Ｆｗ２の上面との衝突、駆動部１１ｂ１の下端と脚部Ｆｂ２の上面との衝突、駆動部１１ｗ１の下端と脚部Ｆｗ１の下面との衝突、及び駆動部１１ｂ１の下端と脚部Ｆｂ１の下面との衝突による衝撃をそれぞれ緩和している。
【００１７】
基部１６ｗ１及び基部１６ｂ１の後端部に、連結棒１６ｗ２及び連結棒１６ｂ２の前端部がそれぞれ組み付けられている。連結棒１６ｗ２及び連結棒１６ｂ２は、それぞれ後方へ延設されている。連結棒１６ｗ２と連結棒１６ｂ２の後端の前後方向の位置は同一である。そして、次に説明する質量体１６ｗ３及び質量体１６ｂ３の後端が白鍵１１ｗ及び黒鍵１１ｂの揺動中心よりも僅かに前方に位置するように、連結棒１６ｗ２及び連結棒１６ｂ２の長さが調整されている。
【００１８】
質量体１６ｗ３及び質量体１６ｂ３の重心が、連結棒１６ｗ２及び連結棒１６ｂ２の後端に一致するようにして組み付けられている。図３に示すように、質量体１６ｗ３及び質量体１６ｂ３の質量は、低音部から高音部に向かうに従って、音高順に軽くなっている。本実施形態においては、図４に示すように、質量体１６ｗ３及び質量体１６ｂ３の外形寸法（例えば、前後方向の長さ）を、低音部から高音部に向かうに従って小さくしている。音高に対する質量体１６ｗ３及び質量体１６ｂ３の質量は、低音部から高音部に向かうに従って常に一定の変化率で変化するようにしてもよいし、所定の鍵域ごと（例えば、１オクターブごと）に変化率を異ならせてもよい。なお、基部１６ｗ１及び基部１６ｂ１の質量と、連結棒１６ｗ２及び連結棒１６ｂ２の質量とは、質量体１６ｗ３及び質量体１６ｂ３の質量に比べて小さいので、ハンマー１６ｗの重心Ｇｗ及びハンマー１６ｂの重心Ｇｂは、それぞれハンマー１６ｗ及びハンマー１６ｂの揺動中心から見て質量体１６ｗ３及び質量体１６ｂ３側に位置する。
【００１９】
本実施形態においては、ハンマー１６ｗの揺動中心から連結棒１６ｗ２の後端までの距離及びハンマー１６ｂの揺動中心から連結棒１６ｂ２の後端までの距離、並びにハンマー１６ｗの揺動中心から脚部Ｆｗ２における駆動部１１ｗ１との当接部Ｐｗ１までの距離及びハンマー１６ｂの揺動中心から脚部Ｆｂ２における駆動部１１ｂ１との当接部Ｐｂ１までの距離が、次のように調整されている。すなわち、白鍵１１ｗと黒鍵１１ｂにおける押鍵位置、当接部、鍵の揺動中心及びハンマーの揺動中心の位置関係の違いに起因する鍵タッチの違いを解消するために、ハンマー１６ｗ及びハンマー１６ｂのそれぞれの揺動中心回りの慣性モーメント、並びに押鍵によってハンマー１６ｗ及びハンマー１６ｂに加えられる荷重の大きさが調整されている。
【００２０】
ここで、白鍵１１ｗの押鍵位置から、白鍵１１ｗの揺動中心までの距離を距離Ｌｋｗ１とし、当接部Ｐｗ１から、白鍵１１ｗの揺動中心までの距離を距離Ｌｋｗ２とする。また、黒鍵１１ｂの押鍵位置から、黒鍵１１ｂの揺動中心までの距離を距離Ｌｋｂ１とし、当接部Ｐｂ１から、黒鍵１１ｂの揺動中心までの距離を距離Ｌｋｂ２とする。また、図５に示すように、ハンマー１６ｗの揺動中心から連結棒１６ｗ２の後端までの距離を距離Ｌｈｗ１とし、ハンマー１６ｗの揺動中心から当接部Ｐｗ１までの距離を距離Ｌｈｗ２とする。また、ハンマー１６ｂの揺動中心から連結棒１６ｂ２の後端までの距離を距離Ｌｈｂ１とし、ハンマー１６ｂの揺動中心から当接部Ｐｂ１までの距離を距離Ｌｈｂ２とする。このとき、各距離が、（Ｌｈｗ１／Ｌｈｗ２）×（Ｌｋｗ２／Ｌｋｗ１）＝（Ｌｈｂ１／Ｌｈｂ２）×（Ｌｋｂ２／Ｌｋｂ１）の関係を満たすように、ハンマー１６ｗ及びハンマー１６ｂの揺動中心の位置並びに当接部Ｐｗ１及び当接部Ｐｂ１の位置が調整されている。すなわち、距離Ｌｈｂ１を距離Ｌｈｗ１よりも短くするとともに、距離Ｌｈｂ２を距離Ｌｈｗ２よりも長くしている。
【００２１】
上記のように、質量体１６ｗ３の質量は、対応する鍵の音高が高くなるに従って徐々に小さくなっているので、ハンマー１６ｗの揺動中心から重心Ｇｗまでの距離は、低音部から高音部に向かうに従って、徐々に小さくなっている。また、質量体１６ｂ３の質量は、対応する鍵の音高が高くなるに従って徐々に小さくなっているので、ハンマー１６ｂの揺動中心から重心Ｇｂまでの距離も、低音部から高音部に向かうに従って、徐々に小さくなっている。さらに、ハンマー１６ｂの揺動中心から重心Ｇｂまでの距離は、隣接するそれぞれのハンマー１６ｗの揺動中心から重心Ｇｗまでの距離よりも小さくなっている。
【００２２】
言い換えれば、ハンマー１６ｗの揺動中心回りの慣性モーメントは、低音部から高音部に向かうに従って、徐々に小さくなっている。また、ハンマー１６ｂの揺動中心回りの慣性モーメントも、低音部から高音部に向かうに従って、徐々に小さくなっている。さらに、ハンマー１６ｂの揺動中心回りの慣性モーメントは、隣接するそれぞれのハンマー１６ｗの揺動中心回りの慣性モーメントよりも小さくなっている。すなわち、図６に示すように、音高順にハンマー１６ｗ及びハンマー１６ｂの揺動中心まわりの慣性モーメントを表した特性曲線図において、ハンマー１６ｗの特性曲線及びハンマー１６ｂの特性曲線は、右下がりの平行な曲線であって、かつハンマー１６ｂの特性曲線がハンマー１６ｗの特性曲線の下側に位置する。
【００２３】
また、ハンマー１６ｗ及びハンマー１６ｂの上面（例えば、基部１６ｗ１及び基部１６ｂ１の上面）には、ハンマー１６ｗ及びハンマー１６ｂの配列順を表す標識として、長方形の印が付されている。この長方形の印の前端の前後方向の位置は、すべてのハンマーについて共通あるが、後端の前後方向の位置は、低音部のハンマーから高音部のハンマーに向かうに従って、徐々に前端に近づくように構成されている。すなわち、低音部のハンマーから高音部のハンマーに向かうに従って、長方形の印の前後方向の長さが、徐々に短くなっている。この長方形の印を、樹脂成型により基部１６ｗ１及び基部１６ｂ１と一体的に設けるとよい。なお、この長方形の印を、印刷により設けてもよいし、長方形の部品を組み付けるようにしてもよい。
【００２４】
白鍵１１ｗ及び黒鍵１１ｂの離鍵時には、ハンマー１６ｗ及びハンマー１６ｂは、自重により、前端部が上方へ変位する。このとき、脚部Ｆｗ２及び脚部Ｆｂ２により駆動部１１ｗ１及び駆動部１１ｂ１がそれぞれ上方へ付勢され、白鍵１１ｗ及び黒鍵１１ｂの前端部はそれぞれ上方へ変位する。一方、白鍵１１ｗ及び黒鍵１１ｂの押鍵時には、駆動部１１ｗ１及び駆動部１１ｂ１の下端面が脚部Ｆｗ２及び脚部Ｆｂ２の上面をそれぞれ押圧し、ハンマー１６ｗ及びハンマー１６ｂの前端部がそれぞれ下方へ変位する。
【００２５】
また、隣り合うリブ１２ｄの前端部を繋ぐようにして、レール部１９が左右方向に延設されている。レール部１９の前後方向の幅は、前板１２ａ及び後板１２ｂの前後方向の幅に比べて狭い。レール部１９の上面から上方に突出するようにして、白鍵１１ｗの揺動をガイドするための鍵ガイド１９ｗが形成されている。鍵ガイド１９ｗは、白鍵１１ｗに下方から侵入しており、押離鍵時に鍵ガイド１９ｗの側面と白鍵１１ｗの側壁の内側の面が摺接するようになっている。これにより、押離鍵時の白鍵１１ｗの左右方向の微少な変位を抑制している。
【００２６】
また、隣り合うリブ１２ｄの上端部であって、黒鍵１１ｂの見え掛り部の前端部の下方に位置する部分を繋ぐようにして、レール部２１が左右方向に延設されている。レール部２１の前後方向の幅は、前板１２ａ及び後板１２ｂの前後方向の幅に比べて狭い。レール部２１の上面から上方に突出するようにして、黒鍵１１ｂの揺動をガイドするための鍵ガイド２１ｂが形成されている。鍵ガイド２１ｂは、黒鍵１１ｂに下方から侵入しており、押離鍵時に鍵ガイド２１ｂの側面と黒鍵１１ｂの側壁の内側の面が摺接するようになっている。これにより、押離鍵時の黒鍵１１ｂの左右方向の微少な変位を抑制している。
【００２７】
また、各リブ１２ｄの中間部には、上端から下方へ向かって方形状に切り欠いた、切り欠き１２ｄ１が設けられている。この切り欠き１２ｄ１を一体成型により形成するために、切り欠き１２ｄ１の上方に位置する前板１２ａの中間部には、上面から下面に貫通した方形状の貫通孔が設けられている。そして、前板１２ａの下面には、フエルトなどの衝撃吸収材によって構成した長尺状の下限ストッパ２２が、リブ１２ｄの切り欠き１２ｄ１を通って、左右方向に延設されて固着されている。この下限ストッパ２２は、押鍵時にハンマー１６ｗ及びハンマー１６ｂの後部に当接して、ハンマー１６ｗ及びハンマー１６ｂの後端部の上方への変位を規制することにより、白鍵１１ｗ及び黒鍵１１ｂの前端部の下方への変位を規制する。また、フレームＦＲの後部には、フエルトなどの衝撃吸収材によって構成した上限ストッパ２３が、固着されている。離鍵時において、質量体１６ｗ３及び質量体１６ｂ３の下面に当接して、ハンマー１６ｗ及びハンマー１６ｂの後端部の下方への変位を規制することにより、白鍵１１ｗ及び黒鍵１１ｂの前端部の上方への変位を規制する。
【００２８】
また、白鍵１１ｗ及び黒鍵１１ｂの中間部の下面には、スイッチ駆動部２４が設けられている。スイッチ駆動部２４は、基板２５上に配置されたスイッチＳＷの上面に当接している。スイッチＳＷは、各鍵ごとに設けられ、各鍵の揺動に伴って押圧されて、各鍵の押離鍵状態を検出する。また、基板２５には、上面から下面に貫通した貫通孔が設けられている。この貫通孔の位置は、前板１２ａの上面に一体的に形成されたボス２６の位置に対応している。この貫通孔にねじを通してボス２６にねじ込むことにより、基板２５が、鍵フレーム１２に固定される。
【００２９】
また、リブ１２ｄとレール部１７の接続部には、ボス２７が形成されている。電子楽器のフレームＦＲに貫通孔を設けておいて、この貫通孔にねじを下方から通して、ボス２７にねじ込むことにより、この鍵盤装置が電子楽器のフレームＦＲに固定される。
【００３０】
上記のように構成した本実施形態に係る鍵盤装置においては、ハンマー１６ｗ及びハンマー１６ｂのそれぞれの揺動中心の位置、並びに当接部Ｐｗ１及び当接部Ｐｂ１の位置を調整して、各部の距離が上記の所定の関係を満たすようにしたので、白鍵１１ｗと黒鍵１１ｂにおける押鍵位置、当接部、鍵の揺動中心及びハンマーの揺動中心の位置関係の違いに起因する鍵タッチの違いを解消できる。すなわち、図７に示すように、低音部の鍵から高音部の鍵に向かうに従って鍵タッチを軽くすることができる。そして、ハンマー１６ｗ及びハンマー１６ｂの上面に、ハンマーの配列順を表す標識として長方形の印を設けた。この長方形の印は、ハンマー１６ｗ及びハンマー１６ｂの鍵フレーム１２への組み付け後においても視認できる。そして、ハンマー１６ｗ及びハンマー１６ｂが正しい順に配列された状態において、低音部のハンマーから高音部のハンマーに向かうに従って、
この長方形の印の後端が徐々に前端に近づくように構成されている。したがって、ハンマー１６ｗ及びハンマー１６ｂを鍵フレーム１２に組み付けた後に、長方形の印の後端の位置が不連続になっている箇所があれば、その箇所に組み付けられているハンマーが本来組み付けられるべきハンマーではないことを一見して把握できる。したがって、ハンマー１６ｗ及びハンマー１６ｂの配列順の検査効率を向上させることができる。
【００３１】
また、白鍵１１ｗ及び黒鍵１１ｂを鍵フレーム１２に組み付けた後には、ハンマー１６ｗ及びハンマー１６ｂに記された長方形の印は、白鍵１１ｗ及び黒鍵１１ｂの下方に位置するので、外部から視認できなくなる。したがって、ハンマー１６ｗ及びハンマー１６ｂに記された長方形の印は、電子楽器の美観に影響を与えない。
【００３２】
次に、本発明の第２実施形態に係る鍵盤装置について説明する。第２実施形態においては、図８及び図９に示すように、白鍵１１ｗ及び黒鍵１１ｂの前端部に質量体Ｍｗ及び質量体Ｍｂをそれぞれ組み付けている。これにより、白鍵１１ｗ及び黒鍵１１ｂの質量を低音部の鍵から高音部の鍵に向かうに従って徐々に重くしている。具体的には、図１０に示すように、音高と鍵の質量との関係を表した特性曲線図において、白鍵１１ｗの特性曲線と黒鍵１１ｂの特性曲線は、平行な右上がりの曲線であって、黒鍵１１ｂの特性曲線が、白鍵１１ｗの特性曲線の上側に位置するようにしている。なお、白鍵１１ｗ及び黒鍵１１ｂの上壁及び側壁の肉厚を音高順に徐々に厚くすることにより、白鍵１１ｗ及び黒鍵１１ｂの質量を徐々に大きくしてもよい。
【００３３】
本実施形態においては、白鍵１１ｗ及び黒鍵１１ｂの質量の特性を上記のように設定したので、ハンマー１６ｗ及びハンマー１６ｂのそれぞれの揺動中心回りの慣性モーメントの特性曲線のずれが、上記第１実施形態よりも小さくなるように、ハンマー１６ｗ及びハンマー１６ｂの揺動中心の位置、質量体１６ｗ３及び質量体１６ｂ３の質量を調整している。なお、上記第１実施形態における全てのハンマー１６ｗ及びハンマー１６ｂの構成を同一としてもよい。この場合、ハンマー１６ｗ及びハンマー１６ｂは、白鍵１１ｗ及び黒鍵１１ｂの前端を上方へ付勢する手段としてのみ機能し、鍵タッチの調整には関与しない。また、ハンマー１６ｗ及びハンマー１６ｂに代えて、バネによって白鍵１１ｗ及び黒鍵１１ｂの前端を上方へ付勢してもよい。この場合、音高とバネによる鍵への付勢力との関係を表した特性曲線図において、白鍵１１ｗの特性曲線と黒鍵１１ｂの特性曲線とが右下がりの平行な曲線であって、黒鍵１１ｂの特性曲線が白鍵１１ｗの特性曲線の下側に位置するようにすればよい。また、全ての鍵についてバネによる付勢力が一定になるようにしてもよい。
【００３４】
上記のように、白鍵１１ｗ及び黒鍵１１ｂの質量は、割り当てられた音高ごとに異なっている。しかし、割り当てられた音高が近接する白鍵１１ｗ同士及び黒鍵１１ｂ同士の質量の差は僅かである。そこで、それぞれの白鍵１１ｗ及び黒鍵１１ｂの配列順を表す標識として、白鍵１１ｗ及び黒鍵１１ｂには、上記第１実施形態のハンマー１６ｗ及びハンマー１６ｂと同様に、低音部の鍵から高音部の鍵に向かうに従って、後端の位置が徐々に前端に近づく長方形の印が設けられている。この長方形の印は、図１１に示すように、それぞれ白鍵１１ｗ及び黒鍵１１ｂの上面の後端部に設けられている。すなわち、白鍵１１ｗ及び黒鍵１１ｂを鍵フレーム１２に組み付けた状態で、黒鍵１１ｂの見え掛り部の後端よりも後方に設けられている。また、この長方形の印を、樹脂成型により白鍵１１ｗ及び黒鍵１１ｂと一体的に設けるとよい。なお、この長方形の印を、印刷により設けてもよいし、長方形の部品を組み付けるようにしてもよい。その他の構成は、第１実施形態と同様である。
【００３５】
上記のように構成した鍵盤装置においては、白鍵１１ｗ及び黒鍵１１ｂの質量、ハンマー１６ｗ及びハンマー１６ｂのそれぞれの揺動中心回りの慣性モーメントを調整して、第１実施形態と同様に、白鍵１１ｗと黒鍵１１ｂにおける押鍵位置、当接部、鍵の揺動中心及びハンマーの揺動中心の位置関係の違いに起因する鍵タッチの違いを解消するようにした。そして、白鍵１１ｗの後端部の上面及び黒鍵１１ｂの見え掛り部よりも後方の後端部の上面に長方形の印を記すようにしたので、白鍵１１ｗ及び黒鍵１１ｂの鍵フレーム１２への組み付け後においても、この長方形の印を視認できる。この長方形の印の前端の前後方向の位置は、全ての鍵について共通であり、白鍵１１ｗ及び黒鍵１１ｂが正しい順に配列された状態において、低音部の鍵から高音部の鍵に向かうに従って、
この長方形の印の後端が徐々に前端側に位置するように構成されている。したがって、白鍵１１ｗ及び黒鍵１１ｂを鍵フレーム１２に組み付けた後に、長方形の印の後端の位置が不連続になっている箇所があれば、その箇所に組み付けられている鍵が本来組み付けられるべき鍵ではないことを一見して把握できる。したがって、鍵１１ｗ及び鍵１１ｂの配列順の検査効率を向上させることができる。さらに、この鍵盤装置を電子楽器本体に組み付けた後には、白鍵１１ｗ及び黒鍵１１ｂの後端部は、電子楽器本体内に位置するので、外部から視認できなくなる。したがって、白鍵１１ｗ及び黒鍵１１ｂに記された長方形の印は、電子楽器の美観に影響を与えない。
【００３６】
さらに、本発明の実施にあたっては、上記実施形態に限定されるものではなく、本発明の目的を逸脱しない限りにおいて種々の変更が可能である。
【００３７】
また、上記第１実施形態においては、鍵盤装置の検査効率の向上のために、ハンマー１６ｗ及びハンマー１６ｂに長方形の印を記すようにした。一方、上記第２実施形態においても、鍵盤装置の検査効率の向上のために、白鍵１１ｗ及び黒鍵１１ｂに長方形の印を記すようにした。しかし、ハンマー及び鍵の配列順を表す標識として、以下の様な印を設けてもよい。なお、以下の説明においては、印を白鍵１１ｗ及び黒鍵１１ｂに設けた例を示しているが、ハンマー１６ｗ及びハンマー１６ｂに同様の印を設けてもよい。
【００３８】
例えば、図１２に示すように、低音部の鍵から高音部の鍵に向かうに従って、色彩を徐々に変更した印を設けてもよい。この場合、例えば、低音部の鍵から高音部の鍵に向かうに従って、濃度を薄く（又は濃く）した印を設けるとよい。これによれば、鍵の配列順の検査において、前記印の濃度の変化が不連続である箇所があれば、その箇所を一見して把握できるので、上記実施形態と同様の効果が得られる。
【００３９】
また、例えば、図１３に示すように、低音部の鍵から高音部の鍵に向かうに従って、矢印の方向を時計回りに所定の角度θずつ回転させた印を設けてもよい。これによれば、鍵の配列順の検査において、矢印の方向の変化が不連続である箇所があれば、その箇所を一見して把握できるので、上記実施形態と同様の効果が得られる。
【００４０】
また、例えば、図１４に示すように、低音部の鍵から高音部の鍵に向かうに従って、丸印を設ける位置を鍵の前端部側に移動させてもよい。これによれば、鍵の配列順の検査において、印の位置が不連続である箇所があれば、その箇所を一見して把握できるので、上記実施形態と同様の効果が得られる。
【００４１】
また、例えば、図１５に示すように、低音部の鍵から高音部の鍵に向かうに従って、印を設ける位置を周期的に変化させてもよい。この場合、所定の鍵域（例えば１オクターブ）ごとに、印の形状、色彩などを異ならせてもよい。これによれば、鍵の配列順の検査において、鍵フレーム１２に組み付けられた鍵の印の配列パターンと、正しい順に配列された状態の印の配列パターンとを比較して、両者にずれがあれば、その箇所を一見して把握できるので、上記実施形態と同様の効果が得られる。
【００４２】
また、例えば、図１６に示すように、全ての鍵を正しい順に配列したときに、鍵の並び方向に連続する模様が表れるように、各鍵に前記模様の一部を記すようにしてもよい。これによれば、鍵の配列順の検査において、模様が不連続である箇所があれば、その箇所を一見して把握できるので、上記実施形態と同様の効果が得られる。
【符号の説明】
【００４３】
１１ｗ・・・白鍵、１１ｂ・・・黒鍵、１１ｗ１，１１ｂ１・・・駆動部、１２・・・鍵フレーム、１３・・・鍵支持部、１６ｗ，１６ｂ・・・ハンマー、１６ｗ１，１６ｂ１・・・基部、１６ｗ２，１６ｂ２・・・連結棒、１６ｗ３，１６ｂ３・・・質量体、１８ｗ，１８ｂ・・・ハンマー支持部、Ｐｗ１，Ｐｂ１・・・当接部、ＦＲ・・・フレーム
【図１】
0005821212.tif 000002
【図２】
0005821212.tif 000003
【図３】
0005821212.tif 000004
【図４】
0005821212.tif 000005
【図５】
0005821212.tif 000006
【図６】
0005821212.tif 000007
【図７】
0005821212.tif 000008
【図８】
0005821212.tif 000009
【図９】
0005821212.tif 000010
【図１０】
0005821212.tif 000011
【図１１】
0005821212.tif 000012
【図１３】
0005821212.tif 000013
【図１４】
0005821212.tif 000014
【図１５】
0005821212.tif 000015
【図１６】
0005821212.tif 000016
【図１２】
0005821212.tif 000017